(57)【要約】［課題］ゴルフバッグは、従来構造では、それ以上の軽量化をはかることは強度的にも弱く、限界がある。［解決手段］本発明の（請求項１）は口枠と底枠をつなぐ何本かのフレームからなり、そのフレームはゴルフバッグの外皮体の背袋部（図４−１Ｂ）の内部をドーム型に彎曲し経由する。この構造は、ゴルフバッグにかかる負荷を分散させ強度をたもつ軽量ゴルフバッグになりうる。【選択図】  図３
2005192666.tif 000002
【特許請求の範囲】
【請求項１】
口枠と底枠をつなぐ何本かのフレームからなり、そのフレームがゴルフバッグの外皮体の内部をドーム型に彎曲し経由することによって強度を保つ軽量ゴルフバッグ
【請求項２】
口枠と底枠をつなぐ何本かのフレームが、より強度を保つために中央部の部品で交わっている請求項１のゴルフバッグ
【請求項３】
軽量化のため、部品数を最小限におさえる。
そのため、ゴルフバッグ正面のハンドルがゴルフバッグを構成するフレームを曲げる事よって一体化されている請求項１のゴルフバッグ
【請求項４】
軽量化のためには、よりストレスがかかる場所に強度を補強する必要があるが、ストレスがかからない場所の重量はそぎ落とす必要がある。
そのため、底枠、口枠、ハンドル、など、比較的強度の必要で無い部分に穴をあけるあるいは、軽量素材を使うことによって軽量化を実現する請求項１のゴルフバッグ
【請求項５】
ゴルフバッグでは、ショルダー取り付け金具付近がもっとも強度が必要な場所である。
その補強として、口枠から伸びたワイヤーが、ショルダーと取り付け金具付近を経由し、底枠につながることによって、より強度が確保できる請求項１のゴルフバッグ
【発明の詳細な説明】
［技術分野］
【０００１】本発明は、ゴルフバッグの軽量化と強度の確保に関する。
［背景技術］
【０００２】一般にゴルフバッグはゴルフクラブを収納するためのベルポーンと呼ばれる有底筒状のシート▲い▼と、そのベルポーレンの周囲に縫い付けた袋状の外皮体▲あ▼とから構成されている。［図１］
あるいは、単純な棒状のピアノ線▲う▼またはプラスティック部材をベルポーレンの変わりに外皮体内部に組み込むことによってキャディバッグの強度がたもたれる様に構成れている。［図２］
［発明が解決しようとする課題］
【０００３】このようなゴルフバッグは、その構成上、それ以上の軽量化をはかることは構造を変えない限り、限界がある。
従来構造のゴルフバッグにおいては、材料を薄くするなどして、その問題を解決しようとしたため、軽量化に成功したとしても強度が著しく低下するものであった。
【０００４】本発明は、ゴルフバッグの新しい構造を提供することによって、その軽量化と強度の確保を技術課題にしている。
［課題を解決するための手段］
【０００５】本発明の（請求項１）は
口枠と底枠をつなぐ何本かのフレームからなり、
そのフレームがゴルフバッグの外皮体の背袋部（図４の１Ｂ）の内部をドーム型に彎曲し経由することによって強度をたもつ軽量ゴルフバッグであることを特徴としている。
［発明の効果］
【０００６】従来のゴルフバッグでは、使用時の負荷が集中的に、内部心材に集中するため構造的に弱いものであった。
本発明では、外皮体の背袋部（図４の１Ｂ）の内部に心材が経由することによって、ゴルフバッグの外側に負荷を分散させる、そのため、バッグ自体の強度、および、軽量化が実現できる。
［発明を実地するための最良の形態］
【０００７】次に図面を参照しながら本発明のドーム型フレームゴルフバッグの実施例の形態を説明する図３は本発明の実施例形態をＪＩＳ第三角図法による三面図で本発明のドーム型フレームゴルフバッグのフレーム構造すなわち外皮体を取り除いた正面、側面  背面、上面、底面、を示している
【０００８】図４は図３のフレームに外皮体を装着したゴルフバッグの外皮装着完成例である。
【０００９】図４で示すゴルフバッグの完成図は、図３に示す内蔵機構の、
プラスティック成形の口枠２と、プラスティック成形の底枠３と、それらを連結するドーム型のＸ字フレーム、４（あるいは図３Ｈ字フレーム４−１）ハンドルフレーム５、と、ワイヤー６に、４図で示された外皮体１が装着されたものから構成されている。
【００１０】図４の外皮体１はアイレット部１Ａ、に口枠２の口枠フック２Ｆおよび底枠フック３Ｆに引っ掛ける（あるいは鋲や、マジックテープで固定する）ことによって固定される。
また、外皮体背袋部１Ｂの内部に、Ｘ字フレーム４またはＨ字フレーム４−２および４−３が入る事によって、ゴルフバッグ全体の形状が成形される。
また、外皮体は自由に脱着が可能のためそのデザインはこれにとらわれない。
したがって、Ｈ字フレーム４−２が入る外皮体は外皮体背袋部１ＢもＨ字フレームに合わせた形状になる。
【００１１】図３の口枠２は２Ａに口枠背袋側フレーム差し込み穴を成形、２Ｂに口枠正面側フレーム差し込み穴を成形し、２Ｃで、ワイヤー６を止める口枠ワイヤー止め座り穴を成形する。
また、ゴルフクラブ収納セパレータ２Ｄや２Ｅは使用者の用途に応じてマジックテープやネジ、鋲などで変更が可能な形態で装着されている。
【００１２】図３の底枠３は３Ａに底枠背袋側フレーム差し込み穴を成形、２Ｂに底枠正面側フレーム差し込み穴を成形し、３Ｃで、ワイヤー６を止める底枠ワイヤー止め座り穴を成形する。
また、３Ｄは強度や重量に応じて、変更可能な部品となっている。
ところどころにもうけられた重量調整穴３Ｅは水抜き効果と、重量の軽量化を考慮された場所に空けられている
【００１３】図３のＸ字フレーム４は２本の大きく彎曲したフレームで、プラスティックやカーボン、あるいはアルミ素材その他の軽量素材で成形されており、中央部４Ａのパーツで交わっている。
このフレームの先端は口枠２の２Ａ口枠背袋側フレーム差し込み穴と底枠３の３Ａ底枠背袋側フレーム差し込み穴に差し込まれる。
また、Ｘ字フレーム４は、用途に応じてＨ字フレーム４−１に取り替えることも可能である。
Ｈ字フレーム４−２は２本の彎曲したフレームを平行して、４−３のパーツで連結されている
【００１４】図３のハンドルフレーム５は口枠２の２Ｂの口枠正面側フレーム差し込み穴と、底枠３の３Ｂ口枠正面側フレーム差し込み穴に差し込まれる２本の垂直なフレームで、ハンドル部でおれ曲がり５Ａのハンドルを経由する。
【００１５】図３のワイヤー６は口枠２Ｃおよび、底枠３Ｃの座り穴を貫通し、フレーム５のショルダー部５Ｂを経由してワイヤー止め６Ａ、で固定される。
ワイヤーの張力は、ワイヤー張力調整ネジ６Ａ−１のネジを回転させることで調節可能である。
【図面の簡単な説明】
【００１６】
【図１】従来型ゴルフバッグの構造図の断面図である。
【図２】従来型ゴルフバッグの構造図の断面図である。
【図３】本発明ドーム型フレーム軽量ゴルフバッグのフレーム構造の実施形態を示すＪＩＳ第三角図法による三面図である。
【図４】本発明ドーム型フレーム軽量ゴルフバッグの外皮装着完成例である。
【図５】本発明軽量ゴルフバッグのＨ字フレーム（取り替え可能）の構造の実施形態
【符号の説明】
【００１７】１        外皮体                          あ        従来型外皮体背袋部
１Ａ      アイレット部                    い        従来型心材（ベルポーレン）
１Ｂ      外皮体背袋部                    う        従来型心材（ピアノ線）
２        口枠
２Ａ      口枠背袋側フレーム差し込み穴
２Ｂ      口枠正面側フレーム差し込み穴
２Ｃ      口枠ワイヤー止め座り穴
２Ｄ      収納セパレータＡ
２Ｅ      収納セパレータＢ
２Ｆ      口枠フック
３        底枠
３Ａ      底枠背袋側フレーム差し込み穴
３Ｂ      底枠正面側フレーム差し込み穴
３Ｃ      底枠ワイヤー止め座穴
３Ｄ      底部部品
３Ｅ      重量調整穴
３Ｆ      底枠フック
４        Ｘ字フレーム
４Ａ      Ｘ字連結パーツ
４−２    Ｈ字フレーム
４−３    平行連結パーツ
５        ハンドルフレーム
５Ａ      ハンドル
５Ｂ      ショルダー部
５Ｃ      ショルダー
６        ワイヤー
６Ａ      ワイヤー止め
６Ａ−１  ワイヤー張力調整ネジ
【図１】
2005192666.tif 000003
【図２】
2005192666.tif 000004
【図３】
2005192666.tif 000005
【図４】
2005192666.tif 000006
【図５】
2005192666.tif 000007